【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
水銀を含有する炭化水素流体供給物から水銀を除去するためのプロセスであって、
（ｉ）水銀を含有する炭化水素流体供給物と式：
［Ｃａｔ＋］［Ｍ＋］［Ｘ−］
（式中、
［Ｃａｔ＋］は１種以上の有機カチオン化学種であり；
［Ｍ＋］は、＋２以上の酸化状態を有する遷移金属カチオンから選択される１種以上の金属カチオンであり；
［Ｘ−］は１種以上のアニオン化学種である）
を有するイオン液体とを接触させる工程；および
（ｉｉ）水銀を含有する流体供給物と比較して減少した水銀含量を有する炭化水素流体生成物をイオン液体から分離する工程；
を含む上記プロセス。
【請求項２】
［Ｍ＋］が、第一列遷移金属カチオンとモリブデンカチオンから選択され、好ましくは、鉄カチオン、銅カチオン、モリブデンカチオン、およびコバルトカチオンから選択される、少なくとも＋２の酸化状態を有する１種以上の金属カチオンである、請求項１に記載のプロセス。
【請求項３】
［Ｍ＋］が、Ｆｅ３＋、Ｃｕ２＋、Ｍｏ６＋、およびＣｏ２＋から選択される１種以上の金属カチオンである、請求項２に記載のプロセス。
【請求項４】
［Ｍ＋］がＦｅ３＋またはＣｕ２＋である、請求項３に記載のプロセス。
【請求項５】
水銀含有炭化水素流体供給物中の水銀濃度が１〜２５０，０００パーツ・パー・ビリオンの範囲である、請求項１〜４のいずれか一項に記載のプロセス。
【請求項６】
炭化水素流体供給物が、元素状水銀、粒子状水銀、または有機水銀の少なくとも１種を含む、請求項１〜５のいずれか一項に記載のプロセス。
【請求項７】
水銀含有炭化水素流体供給物が液体であり、
水銀含有炭化水素流体供給物が、
（ｉ）液化天然ガス；
（ｉｉ）液化石油ガス、ガソリン、および／又はナフサを含む軽質留分；
（ｉｉｉ）天然ガスコンデンセート；
（ｉｖ）ケロシン及び／又はディーゼルを含む中間留分；
（ｖ）重質留分；および
（ｖｉ）原油；
の１種以上を含む、請求項１〜６のいずれか一項に記載のプロセス。
【請求項８】
水銀含有炭化水素流体供給物がガスであり、水銀含有炭化水素流体供給物が天然ガス及び／又は製油所ガスを含む、請求項１〜６のいずれか一項に記載のプロセス。
【請求項９】
［Ｃａｔ＋］が、アンモニウム、ベンゾイミダゾリウム、ベンゾフラニウム、ベンゾチオフェニウム、ベンゾトリアゾリウム、ボロリウム、シンノリニウム、ジアザビシクロデセニウム、ジアザビシクロノネニウム、１，４−ジアザビシクロ［２．２．２］オクタニウム、ジアザビシクロ−ウンデセニウム、ジチアゾリウム、フラニウム、グアニジニウム、イミダゾリウム、インダゾリウム、インドリニウム、インドリウム、モルホリニウム、オキサボロリウム、オキサホスホリウム、オキサジニウム、オキサゾリウム、イソ−オキサゾリウム、オキソチアゾリウム、ホスホリウム、ホスホニウム、フタラジニウム、ピペラジニウム、ピペリジニウム、ピラニウム、ピラジニウム、ピラゾリウム、ピリダジニウム、ピリジニウム、ピリミジニウム、ピロリジニウム、ピロリウム、キナゾリニウム、キノリニウム、イソ−キノリニウム、キノキサリニウム、キヌクリジニウム、セレナゾリウム、スルホニウム、テトラゾリウム、チアジアゾリウム、イソ−チアジアゾリウム、チアジニウム、チアゾリウム、イソ−チアゾリウム、チオフェニウム、チウロニウム、トリアジニウム、トリアゾリウム、イソ−トリアゾリウム、およびウロニウムからなる群から選ばれるカチオン化学種を含む、請求項１〜８のいずれか一項に記載のプロセス。
【請求項１０】
［Ｃａｔ＋］が、
【化１】
2013542288.tif 000001
〔式中、Ｒａ、Ｒｂ、Ｒｃ、Ｒｄ、Ｒｅ、Ｒｆ、およびＲｇはそれぞれ、水素、Ｃ１−Ｃ２０の直鎖もしくは分岐鎖アルキル基、Ｃ３−Ｃ８シクロアルキル基、またはＣ６−Ｃ１０アリール基から独立して選ばれるか、あるいは隣接の炭素原子に結合したＲｂ、Ｒｃ、Ｒｄ、Ｒｅ、およびＲｆのいずれか２つがメチレン鎖−（ＣＨ２）ｑ−（式中、ｑは３〜６である）を形成し、前記のアルキル基、シクロアルキル基、もしくはアリール基、または前記メチレン鎖は未置換であるか、あるいはＣ１−Ｃ６アルコキシ、Ｃ２−Ｃ１２アルコキシアルコキシ、Ｃ３−Ｃ８シクロアルキル、Ｃ６−Ｃ１０アリール、Ｃ７−Ｃ１０アルカリール、Ｃ７−Ｃ１０アラルキル、−ＣＮ、−ＯＨ、−ＳＨ、−ＮＯ２、−ＣＯ２Ｒｘ、−ＯＣ（Ｏ）Ｒｘ、−Ｃ（Ｏ）Ｒｘ、−Ｃ（Ｓ）Ｒｘ、−ＣＳ２Ｒｘ、−ＳＣ（Ｓ）Ｒｘ、−Ｓ（Ｏ）（Ｃ１−Ｃ６）アルキル、−Ｓ（Ｏ）Ｏ（Ｃ１−Ｃ６）アルキル、−ＯＳ（Ｏ）（Ｃ１−Ｃ６）アルキル、−Ｓ（Ｃ１−Ｃ６）アルキル、−Ｓ−Ｓ（Ｃ１−Ｃ６）アルキル、−ＮＲｘＣ（Ｏ）ＮＲｙＲｚ、−ＮＲｘＣ（Ｏ）ＯＲｙ、−ＯＣ（Ｏ）ＮＲｙＲｚ、−ＮＲｘＣ（Ｓ）ＯＲｙ、−ＯＣ（Ｓ）ＮＲｙＲｚ、−ＮＲｘＣ（Ｓ）ＳＲｙ、−ＳＣ（Ｓ）ＮＲｙＲｚ、−ＮＲｘＣ（Ｓ）ＮＲｙＲｚ、−Ｃ（Ｏ）ＮＲｙＲｚ、−Ｃ（Ｓ）ＮＲｙＲｚ、−ＮＲｙＲｚ、または複素環基から選ばれる１〜３基で置換されてもよく、ここでＲｘ、Ｒｙ、およびＲｚはそれぞれ、水素またはＣ１−Ｃ６アルキルから独立して選ばれる〕
からなる群から選ばれるカチオン化学種を含む、請求項９に記載のプロセス。
【請求項１１】
［Ｃａｔ＋］が、
【化２】
2013542288.tif 000002
（式中、Ｒａ、Ｒｂ、Ｒｃ、Ｒｄ、Ｒｅ、Ｒｆ、およびＲｇは、請求項１０において定義したとおりである）
から選ばれるカチオン化学種を含むか、または
【化３】
2013542288.tif 000003
（式中、ＲａとＲｇは、請求項１４において定義したとおりである）
から選ばれるカチオン化学種を含む、請求項１０に記載のプロセス。
【請求項１２】
［Ｃａｔ＋］が、
【化４】
2013542288.tif 000004
〔式中、Ｒａ、Ｒｂ、Ｒｃ、およびＲｄはそれぞれ、Ｃ１−Ｃ２０の直鎖もしくは分岐鎖アルキル基、Ｃ３−Ｃ８シクロアルキル基、またはＣ６−Ｃ１０アリール基から独立して選択され、前記のアルキル基、シクロアルキル基、またはアリール基は、未置換であるか、あるいはＣ１−Ｃ６アルコキシ、Ｃ２−Ｃ１２アルコキシアルコキシ、Ｃ３−Ｃ８シクロアルキル、Ｃ６−Ｃ１０アリール、Ｃ７−Ｃ１０アルカリール、Ｃ７−Ｃ１０アラルキル、−ＣＮ、−ＯＨ、−ＳＨ、−ＮＯ２、−ＣＯ２Ｒｘ、−ＯＣ（Ｏ）Ｒｘ、−Ｃ（Ｏ）Ｒｘ、−Ｃ（Ｓ）Ｒｘ、−ＣＳ２Ｒｘ、−ＳＣ（Ｓ）Ｒｘ、−Ｓ（Ｏ）（Ｃ１−Ｃ６）アルキル、−Ｓ（Ｏ）Ｏ（Ｃ１−Ｃ６）アルキル、−ＯＳ（Ｏ）（Ｃ１−Ｃ６）アルキル、−Ｓ（Ｃ１−Ｃ６）アルキル、−Ｓ−Ｓ（Ｃ１−Ｃ６）アルキル、−ＮＲｘＣ（Ｏ）ＮＲｙＲｚ、−ＮＲｘＣ（Ｏ）ＯＲｙ、−ＯＣ（Ｏ）ＮＲｙＲｚ、−ＮＲｘＣ（Ｓ）ＯＲｙ、−ＯＣ（Ｓ）ＮＲｙＲｚ、−ＮＲｘＣ（Ｓ）ＳＲｙ、−ＳＣ（Ｓ）ＮＲｙＲｚ、−ＮＲｘＣ（Ｓ）ＮＲｙＲｚ、−Ｃ（Ｏ）ＮＲｙＲｚ、−Ｃ（Ｓ）ＮＲｙＲｚ、−ＮＲｙＲｚ、または複素環基から選択される１〜３基で置換されてもよく、ここでＲｘ、Ｒｙ、およびＲｚは、水素またはＣ１−Ｃ６アルキルから独立して選択され、Ｒａ、Ｒｂ、Ｒｃ、およびＲｄの１つが水素であってもよい〕
からなる群から選ばれる、請求項９に記載のプロセス。
【請求項１３】
［Ｃａｔ＋］が、
【化５】
2013542288.tif 000005
（式中、式中、Ｒａ、Ｒｂ、Ｒｃ、Ｒｄ、Ｒｅ、およびＲｆは、請求項１０において定義したとおりである）
からなる群から選ばれる、請求項９に記載のプロセス。
【請求項１４】
［Ｘ−］が、ハロゲン化物アニオン、過ハロゲン化物アニオン、偽ハロゲン化物アニオン、硫酸アニオン、亜硫酸アニオン、スルホン酸アニオン、スルホンイミドアニオン、リン酸アニオン、亜リン酸アニオン、ホスホン酸アニオン、メチドアニオン、ホウ酸アニオン、カルボン酸アニオン、アゾレートアニオン、炭酸アニオン、カルバミン酸アニオン、チオリン酸アニオン、チオカルボン酸アニオン、チオカルバミン酸アニオン、チオ炭酸アニオン、キサントゲン酸アニオン、チオスルホン酸アニオン、チオ硫酸アニオン、硝酸アニオン、亜硝酸アニオン、過塩素酸アニオン、ハロメタレートアニオン、アミノ酸アニオン、およびホウ酸アニオンを含む、請求項１〜１３のいずれか一項に記載のプロセス。
【請求項１５】
［Ｘ−］が、［Ｆ］−、［Ｃｌ］−、［Ｂｒ］−、［Ｉ］−、［Ｉ３］−、［Ｉ２Ｂｒ］−、［ＩＢｒ２］−、［Ｂｒ３］−、［Ｂｒ２Ｃ］−、［ＢｒＣｌ２］−、［ＩＣｌ２］−、［Ｉ２Ｃｌ］−、［Ｎ３］−、［ＮＣＳ］−、［ＮＣＳｅ］−、［ＮＣＯ］−、［ＣＮ］−、［ＨＳＯ４］−、［ＳＯ４］２−、［Ｒ２ＯＳＯ２Ｏ］−、［ＨＳＯ３］−、［ＳＯ３］２−、［Ｒ２ＯＳＯ２］−、［Ｒ１ＳＯ２Ｏ］−、［（Ｒ１ＳＯ２）２Ｎ］−、［Ｈ２ＰＯ４］−、［ＨＰＯ４］２−、［ＰＯ４］３−、［Ｒ２ＯＰＯ３］２−、［（Ｒ２Ｏ）２ＰＯ２］−、［Ｈ２ＰＯ３］−、［ＨＰＯ３］２−、［Ｒ２ＯＰＯ２］２−、［（Ｒ２Ｏ）２ＰＯ］−、［Ｒ１ＰＯ３］２−、［Ｒ１Ｐ（Ｏ）（ＯＲ２）Ｏ］−、［（Ｒ１ＳＯ２）３Ｃ］−、［ビスオキサラートボラート］アニオン、［ビスマロナートボラート］アニオン、［Ｒ２ＣＯ２］−、［３，５−ジニトロ−１，２，４−トリアゾレート］アニオン、［４−ニトロ−１，２，３−トリアゾレート］アニオン、［２，４−ジニトロイミダゾレート］アニオン、［４，５−ジニトロイミダゾレート］アニオン、［４，５−ジシアノイミダゾレート］アニオン、［４−ニトロイミダゾレート］アニオン、［テトラゾレート］アニオン、［Ｒ２ＯＣＳ２］−、［Ｒ２２ＮＣＳ２］−、［Ｒ１ＣＳ２］−、［Ｒ２Ｏ）２ＰＳ２］−、［ＲＳ（Ｏ）２Ｓ］−、［ＲＯＳ（Ｏ）２Ｓ］−、［ＮＯ３］−、および［ＮＯ２］−から選ばれる１種以上のアニオンを含むか、あるいは前記１種以上のアニオンからなり、
ここでＲ１とＲ２は、Ｃ１−Ｃ１０アルキル、Ｃ６アリール、Ｃ１−Ｃ１０アルキル（Ｃ６）アリール、およびＣ６アリール（Ｃ１−Ｃ１０）アルキルからなる群から独立して選択され、Ｒ１とＲ２のそれぞれが、フルオロ、クロロ、ブロモ、ヨード、Ｃ１−Ｃ６アルコキシ、Ｃ２−Ｃ１２アルコキシアルコキシ、Ｃ３−Ｃ８シクロアルキル、Ｃ６−Ｃ１０アリール、Ｃ７−Ｃ１０アルカリール、Ｃ７−Ｃ１０アラルキル、−ＣＮ、−ＯＨ、−ＳＨ、−ＮＯ２、−ＣＯ２Ｒｘ、−ＯＣ（Ｏ）Ｒｘ、−Ｃ（Ｏ）Ｒｘ、−Ｃ（Ｓ）Ｒｘ、−ＣＳ２Ｒｘ、−ＳＣ（Ｓ）Ｒｘ、−Ｓ（Ｏ）（Ｃ１−Ｃ６）アルキル、−Ｓ（Ｏ）Ｏ（Ｃ１−Ｃ６）アルキル、−ＯＳ（Ｏ）（Ｃ１−Ｃ６）アルキル、−Ｓ（Ｃ１−Ｃ６）アルキル、−Ｓ−Ｓ（Ｃ１−Ｃ６）アルキル、−ＮＲｘＣ（Ｏ）ＮＲｙＲｚ、−ＮＲｘＣ（Ｏ）ＯＲｙ、−ＯＣ（Ｏ）ＮＲｙＲｚ、−ＮＲｘＣ（Ｓ）ＯＲｙ、−ＯＣ（Ｓ）ＮＲｙＲｚ、−ＮＲｘＣ（Ｓ）ＳＲｙ、−ＳＣ（Ｓ）ＮＲｙＲｚ、−ＮＲｘＣ（Ｓ）ＮＲｙＲｚ、−Ｃ（Ｏ）ＮＲｙＲｚ、−Ｃ（Ｓ）ＮＲｙＲｚ、−ＮＲｙＲｚ、または複素環基から選択される１つ以上の基で置換されてもよく、ここでＲｘ、Ｒｙ、およびＲｚは、水素またはＣ１−Ｃ６アルキルから独立して選択され、Ｒ１は、フッ素、塩素、臭素、またはヨウ素であってもよく、好ましくは
［Ｘ−］が、［Ｆ］−、［Ｃｌ］−、［Ｂｒ］−、［Ｉ］−、［Ｎ３］−、［ＮＣＳ］−、［ＮＣＳｅ］−、［ＮＣＯ］−、［ＣＮ］−、［Ｒ２ＣＯ２］−、および［ＳＯ４］２−から選ばれる１種以上のアニオンを含むか、あるいは前記１種以上のアニオンからなり、ここでＲ１とＲ２は、請求項１５において定義したとおりである、請求項１４に記載のプロセス。
【請求項１６】
［Ｘ−］が、［Ｆ］−、［Ｃｌ］−、［Ｂｒ］−、および［Ｉ］−から選ばれる１種以上のアニオンを含むか、あるいは前記１種以上のアニオンからなるか、または
［Ｘ−］が、［Ｎ３］−、［ＮＣＳ］−、［ＮＣＳｅ］−、［ＮＣＯ］−、および［ＣＮ］−から選ばれる１種以上のアニオンを含むか、あるいは前記１種以上のアニオンからなるか、または
［Ｘ−］が、［ＨＣＯ２］−、［ＭｅＣＯ２］−、［ＥｔＣＯ２］−、［ＣＨ２（ＯＨ）ＣＯ２］−、［ＣＨ３ＣＨ（ＯＨ）ＣＨ２ＣＯ２］−、および［ＰｈＣＯ２］−から選ばれる１種以上のアニオンを含むか、あるいは前記１種以上のアニオンからなるか、または
［Ｘ−］が［ＳＯ４］２−を含むか、あるいは［ＳＯ４］２−からなる、請求項１５に記載のプロセス。
【請求項１７】
イオン液体中の［Ｃａｔ＋］と［Ｍ＋］とのモル比が１０：１〜１：２の範囲であり、例えばイオン液体中の［Ｃａｔ＋］と［Ｍ＋］とのモル比が２：１〜１：１の範囲である、請求項１〜１６のいずれか一項に記載のプロセス。
【請求項１８】
該イオン液体が、式［Ｃａｔ＋］［Ｘ−］
（式中、［Ｃａｔ＋］と［Ｘ−］は、請求項１において定義したとおりである）を有するイオン液体に金属カチオン［Ｍ＋］の塩を加えることによって作製され、好ましくは
塩がハロゲン化物アニオンを含み、より好ましくは
塩が、ＦｅＣｌ３、ＦｅＢｒ３、ＣｕＣｌ２、およびＣｕＢｒ２から選ばれる、請求項１〜１７のいずれか一項に記載のプロセス。
【請求項１９】
金属カチオン［Ｍ＋］と１つ以上のリガンドとを結びつけて配位錯体を形成させ、そして
配位錯体が式：
［（Ｍｘ＋）ｎ（Ｌｙ−）ｍ］（ｎｘ−ｍｙ）
（式中、
各Ｍｘ＋は、独立して、ｘ＋の電荷を有する、請求項１〜４のいずれか一項において定義した金属イオン［Ｍ＋］であり；
各Ｌｙ−は、独立して、ｙ−の電荷を有するリガンドであり；
ｎは、１、２、または３であり；
ｍは、２、３、４、５、６、７、または８であり；
ｘは、２、３、４、５、または６であり；そして
ｙは、０、１、２、または３である）
を有する、請求項１〜１８のいずれか一項に記載のプロセス。
【請求項２０】
各Ｌｙ−が、請求項１４〜１６のいずれか一項において定義の［Ｘ−］、［Ｏ２−］、および［Ｓ２−］から独立して選ばれるアニオン化学種であり、好ましくは
各Ｌｙ−が、ハロゲン化物アニオン、過ハロゲン化物アニオン、カルボン酸アニオン、［Ｏ２−］、および［Ｓ２−］から独立して選ばれるアニオン化学種である、請求項１９に記載のプロセス。
【請求項２１】
各Ｌｙ−が、［Ｆ］−、［Ｃｌ］−、［Ｂｒ］−、［Ｉ］−、［Ｎ３］−、［ＮＣＳ］−、［ＮＣＳｅ］−、［ＮＣＯ］−、［ＣＮ］−、［Ｒ２ＣＯ２］−（式中、Ｒ２は、前記にて定義したとおりである）、［Ｏ２−］、および［Ｓ２−］から独立して選ばれるアニオン化学種である、請求項２０に記載のプロセス。
【請求項２２】
［（Ｍｘ＋）ｎ（Ｌｙ−）ｍ］（ｎｘ−ｍｙ）がメタレートアニオンであり、メタレートアニオンが、好ましくは［ＦｅＣｌ４］−、［ＣｕＣｌ４］２−、［Ｃｕ２Ｃｌ６］２−、および［ＭｏＳ４］２−から選ばれる、請求項１９〜２１のいずれか一項に記載のプロセス。
【請求項２３】
イオン液体が、水銀含有炭化水素流体供給物および炭化水素流体生成物に対して不混和性である、請求項１〜２２のいずれか一項に記載のプロセス。
【請求項２４】
イオン液体が固体担体物質上に固定化される、請求項１〜２３のいずれか一項に記載のプロセス。
【請求項２５】
水銀を含有する炭化水素流体供給物から水銀を除去するためのプロセスであって、
（ｉ）水銀を含有する炭化水素流体供給物と固体担体物質上に固定化されたイオン液体とを接触させる工程、ここで該イオン液体は式：
［Ｃａｔ＋］［Ｍ＋］［Ｘ−］
（式中、
［Ｃａｔ＋］は１種以上の有機カチオン化学種であり；
［Ｍ＋］は、＋２以上の酸化状態を有する遷移金属カチオンから選択される１種以上の金属カチオンであり；
［Ｘ−］は１種以上のアニオン化学種である）
を有する；および
（ｉｉ）水銀を含有する流体供給物と比較して減少した水銀含量を有する炭化水素流体生成物をイオン液体から分離する工程；
を含む上記プロセス。
【請求項２６】
イオン液体が請求項２〜４および請求項９〜２２のいずれか一項において定義したとおりである、請求項２５に記載のプロセス。
【請求項２７】
固体担体物質が、１０ｍ２・ｇ−１〜３０００ｍ２・ｇ−１のＢＥＴ表面積を有する多孔質担体物質を含むか、あるいは前記多孔質担体物質からなり、好ましくは
固体担体物質が、１００ｍ２・ｇ−１〜１０００ｍ２・ｇ−１のＢＥＴ表面積を有する多孔質担体物質を含むか、あるいは前記多孔質担体物質からなる、請求項２４〜２６のいずれか一項に記載のプロセス。
【請求項２８】
固体担体物質が、シリカ、アルミナ、シリカ−アルミナ、および活性炭から選ばれ、好ましくは固体担体物質が活性炭である、請求項２４〜２７のいずれか一項に記載のプロセス。
【請求項２９】
イオン液体と固体担体物質の総重量を基準として１〜５０重量％のイオン液体が固体担体物質上に固定化される、請求項２４〜２８のいずれか一項に記載のプロセス。
【請求項３０】
イオン液体と水銀含有炭化水素流体供給物とを１：１〜１：１０，０００の体積比にて接触させる、請求項１〜２９のいずれか一項に記載のプロセス。
【請求項３１】
水銀含有炭化水素流体供給物中の水銀１モルにつき１〜１０，０００モルのイオン液体を水銀含有炭化水素流体供給物と接触させる、請求項１〜３０のいずれか一項に記載のプロセス。
【請求項３２】
請求項１〜４および請求項９〜２４のいずれか一項において定義したイオン液体の、水銀含有炭化水素流体供給物から水銀を除去するための使用。
【請求項３３】
請求項２５〜２９のいずれか一項において定義した、固体担体物質上に固定化されたイオン液体の、水銀含有炭化水素流体供給物から水銀を除去するための使用。
【手続補正２】
【補正対象書類名】明細書
【補正対象項目名】０２１３
【補正方法】変更
【補正の内容】
【０２１３】
【表８】
2013542288.tif 000006
これらに限定されるものではないが、本発明は、以下の態様の発明を包含する。
［１］水銀を含有する炭化水素流体供給物から水銀を除去するためのプロセスであって、
（ｉ）水銀を含有する炭化水素流体供給物と式：
［Ｃａｔ＋］［Ｍ＋］［Ｘ−］
（式中、
［Ｃａｔ＋］は１種以上の有機カチオン化学種であり；
［Ｍ＋］は、＋２以上の酸化状態を有する遷移金属カチオンから選択される１種以上の金属カチオンであり；
［Ｘ−］は１種以上のアニオン化学種である）
を有するイオン液体とを接触させる工程；および
（ｉｉ）水銀を含有する流体供給物と比較して減少した水銀含量を有する炭化水素流体生成物をイオン液体から分離する工程；
を含む上記プロセス。
［２］［Ｍ＋］が、第一列遷移金属カチオンとモリブデンカチオンから選択される、少なくとも＋２の酸化状態を有する１種以上の金属カチオンである、［１］に記載のプロセス。
［３］［Ｍ＋］が、鉄カチオン、銅カチオン、モリブデンカチオン、およびコバルトカチオンから選択される、少なくとも＋２の酸化状態を有する１種以上の金属カチオンである、［２］に記載のプロセス。
［４］［Ｍ＋］が、Ｆｅ３＋、Ｃｕ２＋、Ｍｏ６＋、およびＣｏ２＋から選択される１種以上の金属カチオンである、［３］に記載のプロセス。
［５］［Ｍ＋］がＦｅ３＋である、［４］に記載のプロセス。
［６］［Ｍ＋］がＣｕ２＋である、［４］に記載のプロセス。
［７］水銀含有炭化水素流体供給物中の水銀濃度が１〜２５０，０００パーツ・パー・ビリオンの範囲である、［１］〜［６］のいずれかに記載のプロセス。
［８］炭化水素流体供給物が、元素状水銀、粒子状水銀、または有機水銀の少なくとも１種を含む、［１］〜［７］のいずれかに記載のプロセス。
［９］水銀含有炭化水素流体供給物が液体である、［１］〜［８］のいずれかに記載のプロセス。
［１０］水銀含有炭化水素流体供給物が、
（ｉ）液化天然ガス；
（ｉｉ）液化石油ガス、ガソリン、および／又はナフサを含む軽質留分；
（ｉｉｉ）天然ガスコンデンセート；
（ｉｖ）ケロシン及び／又はディーゼルを含む中間留分；
（ｖ）重質留分；および
（ｖｉ）原油；
の１種以上を含む、［９］に記載のプロセス。
［１１］水銀含有炭化水素流体供給物がガスである、［１］〜［８］のいずれかに記載のプロセス。
［１２］水銀含有炭化水素流体供給物が天然ガス及び／又は製油所ガスを含む、［１１］に記載のプロセス。
［１３］［Ｃａｔ＋］が、アンモニウム、ベンゾイミダゾリウム、ベンゾフラニウム、ベンゾチオフェニウム、ベンゾトリアゾリウム、ボロリウム、シンノリニウム、ジアザビシクロデセニウム、ジアザビシクロノネニウム、１，４−ジアザビシクロ［２．２．２］オクタニウム、ジアザビシクロ−ウンデセニウム、ジチアゾリウム、フラニウム、グアニジニウム、イミダゾリウム、インダゾリウム、インドリニウム、インドリウム、モルホリニウム、オキサボロリウム、オキサホスホリウム、オキサジニウム、オキサゾリウム、イソ−オキサゾリウム、オキソチアゾリウム、ホスホリウム、ホスホニウム、フタラジニウム、ピペラジニウム、ピペリジニウム、ピラニウム、ピラジニウム、ピラゾリウム、ピリダジニウム、ピリジニウム、ピリミジニウム、ピロリジニウム、ピロリウム、キナゾリニウム、キノリニウム、イソ−キノリニウム、キノキサリニウム、キヌクリジニウム、セレナゾリウム、スルホニウム、テトラゾリウム、チアジアゾリウム、イソ−チアジアゾリウム、チアジニウム、チアゾリウム、イソ−チアゾリウム、チオフェニウム、チウロニウム、トリアジニウム、トリアゾリウム、イソ−トリアゾリウム、およびウロニウムからなる群から選ばれるカチオン化学種を含む、［１］〜［１２］のいずれかに記載のプロセス。
［１４］［Ｃａｔ＋］が、
【化１８】
2013542288.tif 000007
〔式中、Ｒａ、Ｒｂ、Ｒｃ、Ｒｄ、Ｒｅ、Ｒｆ、およびＲｇはそれぞれ、水素、Ｃ１−Ｃ２０の直鎖もしくは分岐鎖アルキル基、Ｃ３−Ｃ８シクロアルキル基、またはＣ６−Ｃ１０アリール基から独立して選ばれるか、あるいは隣接の炭素原子に結合したＲｂ、Ｒｃ、Ｒｄ、Ｒｅ、およびＲｆのいずれか２つがメチレン鎖−（ＣＨ２）ｑ−（式中、ｑは３〜６である）を形成し、前記のアルキル基、シクロアルキル基、もしくはアリール基、または前記メチレン鎖は未置換であるか、あるいはＣ１−Ｃ６アルコキシ、Ｃ２−Ｃ１２アルコキシアルコキシ、Ｃ３−Ｃ８シクロアルキル、Ｃ６−Ｃ１０アリール、Ｃ７−Ｃ１０アルカリール、Ｃ７−Ｃ１０アラルキル、−ＣＮ、−ＯＨ、−ＳＨ、−ＮＯ２、−ＣＯ２Ｒｘ、−ＯＣ（Ｏ）Ｒｘ、−Ｃ（Ｏ）Ｒｘ、−Ｃ（Ｓ）Ｒｘ、−ＣＳ２Ｒｘ、−ＳＣ（Ｓ）Ｒｘ、−Ｓ（Ｏ）（Ｃ１−Ｃ６）アルキル、−Ｓ（Ｏ）Ｏ（Ｃ１−Ｃ６）アルキル、−ＯＳ（Ｏ）（Ｃ１−Ｃ６）アルキル、−Ｓ（Ｃ１−Ｃ６）アルキル、−Ｓ−Ｓ（Ｃ１−Ｃ６）アルキル、−ＮＲｘＣ（Ｏ）ＮＲｙＲｚ、−ＮＲｘＣ（Ｏ）ＯＲｙ、−ＯＣ（Ｏ）ＮＲｙＲｚ、−ＮＲｘＣ（Ｓ）ＯＲｙ、−ＯＣ（Ｓ）ＮＲｙＲｚ、−ＮＲｘＣ（Ｓ）ＳＲｙ、−ＳＣ（Ｓ）ＮＲｙＲｚ、−ＮＲｘＣ（Ｓ）ＮＲｙＲｚ、−Ｃ（Ｏ）ＮＲｙＲｚ、−Ｃ（Ｓ）ＮＲｙＲｚ、−ＮＲｙＲｚ、または複素環基から選ばれる１〜３基で置換されてもよく、ここでＲｘ、Ｒｙ、およびＲｚはそれぞれ、水素またはＣ１−Ｃ６アルキルから独立して選ばれる〕
からなる群から選ばれるカチオン化学種を含む、［１３］に記載のプロセス。
［１５］［Ｃａｔ＋］が、
【化１９】
2013542288.tif 000008
（式中、Ｒａ、Ｒｂ、Ｒｃ、Ｒｄ、Ｒｅ、Ｒｆ、およびＲｇは、［１４］において定義したとおりである）
から選ばれるカチオン化学種を含む、［１４］に記載のプロセス。
［１６］［Ｃａｔ＋］が、
【化２０】
2013542288.tif 000009
（式中、ＲａとＲｇは、［１４］において定義したとおりである）
から選ばれるカチオン化学種を含む、［１５］に記載のプロセス。
［１７］［Ｃａｔ＋］が、
【化２１】
2013542288.tif 000010
〔式中、Ｒａ、Ｒｂ、Ｒｃ、およびＲｄはそれぞれ、Ｃ１−Ｃ２０の直鎖もしくは分岐鎖アルキル基、Ｃ３−Ｃ８シクロアルキル基、またはＣ６−Ｃ１０アリール基から独立して選択され、前記のアルキル基、シクロアルキル基、またはアリール基は、未置換であるか、あるいはＣ１−Ｃ６アルコキシ、Ｃ２−Ｃ１２アルコキシアルコキシ、Ｃ３−Ｃ８シクロアルキル、Ｃ６−Ｃ１０アリール、Ｃ７−Ｃ１０アルカリール、Ｃ７−Ｃ１０アラルキル、−ＣＮ、−ＯＨ、−ＳＨ、−ＮＯ２、−ＣＯ２Ｒｘ、−ＯＣ（Ｏ）Ｒｘ、−Ｃ（Ｏ）Ｒｘ、−Ｃ（Ｓ）Ｒｘ、−ＣＳ２Ｒｘ、−ＳＣ（Ｓ）Ｒｘ、−Ｓ（Ｏ）（Ｃ１−Ｃ６）アルキル、−Ｓ（Ｏ）Ｏ（Ｃ１−Ｃ６）アルキル、−ＯＳ（Ｏ）（Ｃ１−Ｃ６）アルキル、−Ｓ（Ｃ１−Ｃ６）アルキル、−Ｓ−Ｓ（Ｃ１−Ｃ６）アルキル、−ＮＲｘＣ（Ｏ）ＮＲｙＲｚ、−ＮＲｘＣ（Ｏ）ＯＲｙ、−ＯＣ（Ｏ）ＮＲｙＲｚ、−ＮＲｘＣ（Ｓ）ＯＲｙ、−ＯＣ（Ｓ）ＮＲｙＲｚ、−ＮＲｘＣ（Ｓ）ＳＲｙ、−ＳＣ（Ｓ）ＮＲｙＲｚ、−ＮＲｘＣ（Ｓ）ＮＲｙＲｚ、−Ｃ（Ｏ）ＮＲｙＲｚ、−Ｃ（Ｓ）ＮＲｙＲｚ、−ＮＲｙＲｚ、または複素環基から選択される１〜３基で置換されてもよく、ここでＲｘ、Ｒｙ、およびＲｚは、水素またはＣ１−Ｃ６アルキルから独立して選択され、Ｒａ、Ｒｂ、Ｒｃ、およびＲｄの１つが水素であってもよい〕
からなる群から選ばれる、［１３］に記載のプロセス。
［１８］［Ｃａｔ＋］が、
【化２２】
2013542288.tif 000011
（式中、式中、Ｒａ、Ｒｂ、Ｒｃ、Ｒｄ、Ｒｅ、およびＲｆは、［１４］において定義したとおりである）
からなる群から選ばれる、［１３］に記載のプロセス。
［１９］［Ｘ−］が、ハロゲン化物アニオン、過ハロゲン化物アニオン、偽ハロゲン化物アニオン、硫酸アニオン、亜硫酸アニオン、スルホン酸アニオン、スルホンイミドアニオン、リン酸アニオン、亜リン酸アニオン、ホスホン酸アニオン、メチドアニオン、ホウ酸アニオン、カルボン酸アニオン、アゾレートアニオン、炭酸アニオン、カルバミン酸アニオン、チオリン酸アニオン、チオカルボン酸アニオン、チオカルバミン酸アニオン、チオ炭酸アニオン、キサントゲン酸アニオン、チオスルホン酸アニオン、チオ硫酸アニオン、硝酸アニオン、亜硝酸アニオン、過塩素酸アニオン、ハロメタレートアニオン、アミノ酸アニオン、およびホウ酸アニオンを含む、［１］〜［１８］のいずれかに記載のプロセス。
［２０］［Ｘ−］が、［Ｆ］−、［Ｃｌ］−、［Ｂｒ］−、［Ｉ］−、［Ｉ３］−、［Ｉ２Ｂｒ］−、［ＩＢｒ２］−、［Ｂｒ３］−、［Ｂｒ２Ｃ］−、［ＢｒＣｌ２］−、［ＩＣｌ２］−、［Ｉ２Ｃｌ］−、［Ｎ３］−、［ＮＣＳ］−、［ＮＣＳｅ］−、［ＮＣＯ］−、［ＣＮ］−、［ＨＳＯ４］−、［ＳＯ４］２−、［Ｒ２ＯＳＯ２Ｏ］−、［ＨＳＯ３］−、［ＳＯ３］２−、［Ｒ２ＯＳＯ２］−、［Ｒ１ＳＯ２Ｏ］−、［（Ｒ１ＳＯ２）２Ｎ］−、［Ｈ２ＰＯ４］−、［ＨＰＯ４］２−、［ＰＯ４］３−、［Ｒ２ＯＰＯ３］２−、［（Ｒ２Ｏ）２ＰＯ２］−、［Ｈ２ＰＯ３］−、［ＨＰＯ３］２−、［Ｒ２ＯＰＯ２］２−、［（Ｒ２Ｏ）２ＰＯ］−、［Ｒ１ＰＯ３］２−、［Ｒ１Ｐ（Ｏ）（ＯＲ２）Ｏ］−、［（Ｒ１ＳＯ２）３Ｃ］−、［ビスオキサラートボラート］アニオン、［ビスマロナートボラート］アニオン、［Ｒ２ＣＯ２］−、［３，５−ジニトロ−１，２，４−トリアゾレート］アニオン、［４−ニトロ−１，２，３−トリアゾレート］アニオン、［２，４−ジニトロイミダゾレート］アニオン、［４，５−ジニトロイミダゾレート］アニオン、［４，５−ジシアノイミダゾレート］アニオン、［４−ニトロイミダゾレート］アニオン、［テトラゾレート］アニオン、［Ｒ２ＯＣＳ２］−、［Ｒ２２ＮＣＳ２］−、［Ｒ１ＣＳ２］−、［Ｒ２Ｏ）２ＰＳ２］−、［ＲＳ（Ｏ）２Ｓ］−、［ＲＯＳ（Ｏ）２Ｓ］−、［ＮＯ３］−、および［ＮＯ２］−から選ばれる１種以上のアニオンを含むか、あるいは前記１種以上のアニオンからなり、
ここでＲ１とＲ２は、Ｃ１−Ｃ１０アルキル、Ｃ６アリール、Ｃ１−Ｃ１０アルキル（Ｃ６）アリール、およびＣ６アリール（Ｃ１−Ｃ１０）アルキルからなる群から独立して選択され、Ｒ１とＲ２のそれぞれが、フルオロ、クロロ、ブロモ、ヨード、Ｃ１−Ｃ６アルコキシ、Ｃ２−Ｃ１２アルコキシアルコキシ、Ｃ３−Ｃ８シクロアルキル、Ｃ６−Ｃ１０アリール、Ｃ７−Ｃ１０アルカリール、Ｃ７−Ｃ１０アラルキル、−ＣＮ、−ＯＨ、−ＳＨ、−ＮＯ２、−ＣＯ２Ｒｘ、−ＯＣ（Ｏ）Ｒｘ、−Ｃ（Ｏ）Ｒｘ、−Ｃ（Ｓ）Ｒｘ、−ＣＳ２Ｒｘ、−ＳＣ（Ｓ）Ｒｘ、−Ｓ（Ｏ）（Ｃ１−Ｃ６）アルキル、−Ｓ（Ｏ）Ｏ（Ｃ１−Ｃ６）アルキル、−ＯＳ（Ｏ）（Ｃ１−Ｃ６）アルキル、−Ｓ（Ｃ１−Ｃ６）アルキル、−Ｓ−Ｓ（Ｃ１−Ｃ６）アルキル、−ＮＲｘＣ（Ｏ）ＮＲｙＲｚ、−ＮＲｘＣ（Ｏ）ＯＲｙ、−ＯＣ（Ｏ）ＮＲｙＲｚ、−ＮＲｘＣ（Ｓ）ＯＲｙ、−ＯＣ（Ｓ）ＮＲｙＲｚ、−ＮＲｘＣ（Ｓ）ＳＲｙ、−ＳＣ（Ｓ）ＮＲｙＲｚ、−ＮＲｘＣ（Ｓ）ＮＲｙＲｚ、−Ｃ（Ｏ）ＮＲｙＲｚ、−Ｃ（Ｓ）ＮＲｙＲｚ、−ＮＲｙＲｚ、または複素環基から選択される１つ以上の基で置換されてもよく、ここでＲｘ、Ｒｙ、およびＲｚは、水素またはＣ１−Ｃ６アルキルから独立して選択され、Ｒ１は、フッ素、塩素、臭素、またはヨウ素であってもよい、［１９］に記載のプロセス。
［２１］［Ｘ−］が、［Ｆ］−、［Ｃｌ］−、［Ｂｒ］−、［Ｉ］−、［Ｎ３］−、［ＮＣＳ］−、［ＮＣＳｅ］−、［ＮＣＯ］−、［ＣＮ］−、［ＳＯ４］２−、［Ｒ２ＯＳＯ２Ｏ］−、［ＨＳＯ３］−、［ＳＯ３］２−、［Ｒ２ＯＳＯ２］−、［Ｒ１ＳＯ２Ｏ］−、［（Ｒ１ＳＯ２）２Ｎ］−、［ＰＯ４］３−、［Ｒ２ＯＰＯ３］２−、［（Ｒ２Ｏ）２ＰＯ２］−、［ＨＰＯ３］２−、［Ｒ２ＯＰＯ２］２−、［（Ｒ２Ｏ）２ＰＯ］−、［Ｒ１ＰＯ３］２−、［Ｒ１Ｐ（Ｏ）（ＯＲ２）Ｏ］−、［（Ｒ１ＳＯ２）３Ｃ］−、［ビスオキサラートボラート］アニオン、［ビスマロナートボラート］アニオン、［Ｒ２ＣＯ２］−、［３，５−ジニトロ−１，２，４−トリアゾレート］アニオン、［４−ニトロ−１，２，３−トリアゾレート］アニオン、［２，４−ジニトロイミダゾレート］アニオン、［４，５−ジニトロイミダゾレート］アニオン、［４，５−ジシアノイミダゾレート］アニオン、［４−ニトロイミダゾレート］アニオン、［テトラゾレート］アニオン、［Ｒ２ＯＣＳ２］−、［Ｒ２２ＮＣＳ２］−、［Ｒ１ＣＳ２］−、［Ｒ２Ｏ）２ＰＳ２］−、［ＲＳ（Ｏ）２Ｓ］−、［ＲＯＳ（Ｏ）２Ｓ］−、［ＮＯ３］−、および［ＮＯ２］−から選ばれる１種以上のアニオンを含むか、あるいは前記１種以上のアニオンからなり、ここでＲ１とＲ２は、［２０］において定義したとおりである、［２０］に記載のプロセス。
［２２］［Ｘ−］が、［Ｆ］−、［Ｃｌ］−、［Ｂｒ］−、［Ｉ］−、［Ｎ３］−、［ＮＣＳ］−、［ＮＣＳｅ］−、［ＮＣＯ］−、［ＣＮ］−、［Ｒ２ＣＯ２］−、および［ＳＯ４］２−から選ばれる１種以上のアニオンを含むか、あるいは前記１種以上のアニオンからなり、ここでＲ１とＲ２は、［２０］において定義したとおりである、［２１］に記載のプロセス。
［２３］［Ｘ−］が、［Ｆ］−、［Ｃｌ］−、［Ｂｒ］−、および［Ｉ］−から選ばれる１種以上のアニオンを含むか、あるいは前記１種以上のアニオンからなる、［２２］に記載のプロセス。
［２４］［Ｘ−］が、［Ｎ３］−、［ＮＣＳ］−、［ＮＣＳｅ］−、［ＮＣＯ］−、および［ＣＮ］−から選ばれる１種以上のアニオンを含むか、あるいは前記１種以上のアニオンからなる、［２２］に記載のプロセス。
［２５］［Ｘ−］が、［ＨＣＯ２］−、［ＭｅＣＯ２］−、［ＥｔＣＯ２］−、［ＣＨ２（ＯＨ）ＣＯ２］−、［ＣＨ３ＣＨ（ＯＨ）ＣＨ２ＣＯ２］−、および［ＰｈＣＯ２］−から選ばれる１種以上のアニオンを含むか、あるいは前記１種以上のアニオンからなる、［２２］に記載のプロセス。
［２６］［Ｘ−］が［ＳＯ４］２−を含むか、あるいは［ＳＯ４］２−からなる、［２２］に記載のプロセス。
［２７］イオン液体中の［Ｃａｔ＋］と［Ｍ＋］とのモル比が１０：１〜１：２の範囲である、［１］〜［２６］のいずれかに記載のプロセス。
［２８］イオン液体中の［Ｃａｔ＋］と［Ｍ＋］とのモル比が２：１〜１：１の範囲である、［２７］に記載のプロセス。
［２９］該イオン液体が、式［Ｃａｔ＋］［Ｘ−］（式中、［Ｃａｔ＋］と［Ｘ−］は、［１］において定義したとおりである）を有するイオン液体に金属カチオン［Ｍ＋］の塩を加えることによって作製される、［１］〜［２８］のいずれかに記載のプロセス。
［３０］塩がハロゲン化物アニオンを含む、［２９］に記載のプロセス。
［３１］塩が、ＦｅＣｌ３、ＦｅＢｒ３、ＣｕＣｌ２、およびＣｕＢｒ２から選ばれる、［３０］に記載のプロセス。
［３２］金属カチオン［Ｍ＋］と１つ以上のリガンドとを結びつけて配位錯体を形成させる、［１］〜［３１］のいずれかに記載のプロセス。
［３３］配位錯体が式：
［（Ｍｘ＋）ｎ（Ｌｙ−）ｍ］（ｎｘ−ｍｙ）
（式中、
各Ｍｘ＋は、独立して、ｘ＋の電荷を有する、[１]〜[６]のいずれかにおいて定義した金属イオン［Ｍ＋］であり；
各Ｌｙ−は、独立して、ｙ−の電荷を有するリガンドであり；
ｎは、１、２、または３であり；
ｍは、２、３、４、５、６、７、または８であり；
ｘは、２、３、４、５、または６であり；そして
ｙは、０、１、２、または３である）
を有する、［３２］に記載のプロセス。
［３４］各Ｌｙ−が、[１９]〜[２６]のいずれかにおいて定義の［Ｘ−］、［Ｏ２−］、および［Ｓ２−］から独立して選ばれるアニオン化学種である、［３３］に記載のプロセス。
［３５］各Ｌｙ−が、ハロゲン化物アニオン、過ハロゲン化物アニオン、カルボン酸アニオン、［Ｏ２−］、および［Ｓ２−］から独立して選ばれるアニオン化学種である、［３４］に記載のプロセス。
［３６］各Ｌｙ−が、［Ｆ］−、［Ｃｌ］−、［Ｂｒ］−、［Ｉ］−、［Ｎ３］−、［ＮＣＳ］−、［ＮＣＳｅ］−、［ＮＣＯ］−、［ＣＮ］−、［Ｒ２ＣＯ２］−（式中、Ｒ２は、前記にて定義したとおりである）、［Ｏ２−］、および［Ｓ２−］から独立して選ばれるアニオン化学種である、［３５］に記載のプロセス。
［３７］［（Ｍｘ＋）ｎ（Ｌｙ−）ｍ］（ｎｘ−ｍｙ）がメタレートアニオンである、［３２］〜［３６］のいずれかに記載のプロセス。
［３８］メタレートアニオンが、［ＦｅＣｌ４］−、［ＣｕＣｌ４］２−、［Ｃｕ２Ｃｌ６］２−、および［ＭｏＳ４］２−から選ばれる、［３７］に記載のプロセス。
［３８］イオン液体が２５０℃以下の融点を有する、［１］〜［３８］のいずれかに記載のプロセス。
［４０］イオン液体が３０℃以下の融点を有する、［３９］に記載のプロセス。
［４１］イオン液体が、水銀含有炭化水素流体供給物および炭化水素流体生成物に対して不混和性である、［１］〜［４０］のいずれかに記載のプロセス。
［４２］イオン液体が固体担体物質上に固定化される、［１］〜［４１］のいずれかに記載のプロセス。
［４３］水銀を含有する炭化水素流体供給物から水銀を除去するためのプロセスであって、
（ｉ）水銀を含有する炭化水素流体供給物と固体担体物質上に固定化されたイオン液体とを接触させる工程、ここで該イオン液体は式：
［Ｃａｔ＋］［Ｍ＋］［Ｘ−］
（式中、
［Ｃａｔ＋］は１種以上の有機カチオン化学種であり；
［Ｍ＋］は、＋２以上の酸化状態を有する遷移金属カチオンから選択される１種以上の金属カチオンであり；
［Ｘ−］は１種以上のアニオン化学種である）
を有する；および
（ｉｉ）水銀を含有する流体供給物と比較して減少した水銀含量を有する炭化水素流体生成物をイオン液体から分離する工程；
を含む上記プロセス。
［４４］イオン液体が[２]〜[６]および[１３]〜[４０]のいずれかにおいて定義したとおりである、［４３］に記載のプロセス。
［４５］固体担体物質が、１０ｍ２・ｇ−１〜３０００ｍ２・ｇ−１のＢＥＴ表面積を有する多孔質担体物質を含むか、あるいは前記多孔質担体物質からなる、［４２］〜［４４］のいずれかに記載のプロセス。
［４６］固体担体物質が、１００ｍ２・ｇ−１〜３００ｍ２・ｇ−１のＢＥＴ表面積を有する多孔質担体物質を含むか、あるいは前記多孔質担体物質からなる、［４５］に記載のプロセス。
［４７］固体担体物質が、０．１〜１００ｍｍの範囲の質量平均直径を有するペレット、グラニュール、またはビーズの形態をとっている、［４２］〜［４６］のいずれかに記載のプロセス。
［４８］固体担体物質が、シリカ、アルミナ、シリカ−アルミナ、および活性炭から選ばれる、［４２］〜［４７］のいずれかに記載のプロセス。
［４９］固体担体物質がシリカである、［４８］に記載のプロセス。
［５０］イオン液体と固体担体物質の総重量を基準として１〜５０重量％のイオン液体が固体担体物質上に固定化される、［４２］〜［４９］のいずれかに記載のプロセス。
［５１］イオン液体と水銀含有炭化水素流体供給物とを１：１〜１：１０，０００の体積比にて接触させる、［１］〜［５０］のいずれかに記載のプロセス。
［５２］水銀含有炭化水素流体供給物中の水銀１モルにつき１〜１０，０００モルのイオン液体を水銀含有炭化水素流体供給物と接触させる、［１］〜［５１］のいずれかに記載のプロセス。
［５３］イオン液体と水銀含有炭化水素流体供給物とを０℃〜２５０℃の温度にて接触させる、［１］〜［５２］のいずれかに記載のプロセス。
［５４］イオン液体と水銀含有炭化水素流体供給物とを大気圧にて接触させる、［１］〜［５３］のいずれかに記載のプロセス。
［５５］水銀含有炭化水素流体供給物とイオン液体とを０．１分〜５時間接触させる、［１］〜［５４］のいずれかに記載のプロセス。
［５６］水銀を含有する炭化水素流体供給物から水銀を除去するためのプロセスであって、（ｉ）水銀を含有する炭化水素流体供給物と固体担体物質上に固定化されたメタレート塩とを接触させる工程、ここで該メタレート塩は式：
［Ｑ＋］［（Ｍｘ＋）ｎ（Ｌｙ−）ｍ］（ｎｘ−ｍｙ）
〔式中、
各Ｍｘ＋は、独立して、ｘ＋の電荷を有する[１]〜[５]のいずれかに定義の金属カチオン［Ｍ＋］であり；
各Ｌｙ−は、独立して、ｙ−の電荷を有するリガンドであり；
ｎは１、２、または３であり；
ｍは２、３、４、５、６、７、または８であり；
ｘは２、３、４、５、または６であり；
ｙは０、１、２、または３であり；（ｎｘ−ｍｙ）は負の数であり；
［Ｑ＋］は、（ｍｙ−ｎｘ）の全電荷を有する１種以上の無機カチオンである〕
を有する；および
（ｉｉ）水銀含有流体供給物と比較して水銀含量の減少した炭化水素流体生成物をイオン液体から分離する工程；
を含む上記プロセス。
［５７］各Ｌｙ−が、[１９]〜[２６]のいずれかに定義の［Ｘ−］、［Ｏ２−］、および［Ｓ２−］から独立して選ばれるアニオン化学種である、［５６］に記載のプロセス。
［５８］各Ｌｙ−が、［Ｆ］−、［Ｃｌ］−、［Ｂｒ］−、［Ｉ］−、［Ｎ３］−、［ＮＣＳ］−、［ＮＣＳｅ］−、［ＮＣＯ］−、［ＣＮ］−、［Ｒ２ＣＯ２］−（式中、Ｒ２は、前記にて定義したとおりである）、［Ｏ２−］、および［Ｓ２−］から独立して選ばれるアニオン化学種である、［５７］に記載のプロセス。
［５９］メタレート塩が、［ＦｅＣｌ４］−、［ＣｕＣｌ４］２−、［Ｃｕ２Ｃｌ６］２−、および［ＭｏＳ４］２−から選ばれるメタレートアニオンを含む、［５８］に記載のプロセス。
［６０］［Ｑ＋］が、［Ｌｉ］＋、［Ｎａ］＋、［Ｋ］＋、［Ｍｇ］２＋、［Ｃａ］２＋、および［ＮＨ４］＋から選ばれる１種以上のイオンである、［５６］〜［５９］のいずれかに記載のプロセス。
［６１］固体担体物質が、［４５］〜［４９］のいずれかにおいて定義したとおりである、[５６]〜［６０］のいずれかに記載のプロセス。
［６２］固体担持されたメタレート塩と水銀含有炭化水素流体供給物とを０℃〜２５０℃の温度にて接触させる、［５６］〜［６１］のいずれかに記載のプロセス。
［６３］固体担持されたメタレート塩と水銀含有炭化水素流体供給物とを大気圧にて接触させる、［５６］〜［６２］のいずれかに記載のプロセス。
［６４］水銀含有炭化水素流体供給物と固体担持されたメタレート塩とを０．１分〜５時間接触させる、［５６］〜［６３］のいずれかに記載のプロセス。
［６５］炭化水素流体生成物が、水銀含有炭化水素流体供給物の水銀含量の４０重量％未満を含有する、［１］〜［６４］のいずれかに記載のプロセス。
［６６］炭化水素流体生成物が、水銀含有炭化水素流体供給物の水銀含量の５重量％未満を含有する、［６５］に記載のプロセス。
［６７］炭化水素流体生成物が５０ｐｐｂ未満の水銀を含有する、［１］〜［６６］のいずれかに記載のプロセス。
［６８］炭化水素流体生成物が１ｐｐｂ未満の水銀を含有する、［６７］に記載のプロセス。
［６９］［１］〜［６］および［１３］〜［４２］のいずれかにおいて定義したイオン液体の、水銀含有炭化水素流体供給物から水銀を除去するための使用。
［７０］［４３］〜［５０］のいずれかにおいて定義した、固体担体物質上に固定化されたイオン液体の、水銀含有炭化水素流体供給物から水銀を除去するための使用。
［７１］［５６］〜［６１］のいずれかにおいて定義した、固体担体物質上に固定化されたメタレート塩の、水銀含有炭化水素流体供給物から水銀を除去するための使用。